(57)【要約】【課題】マネキンの姿勢にバリエーションを持たせて展示し、被服の着せ替えを容易に行なうことができるマネキン展示用治具、マネキン展示用スタンドを提供することを目的としている。【解決手段】本発明のマネキン展示用治具１０は、取付部８２と接続可能なボールヘッド３０と、前記ボールヘッド３０を内包して一端の開口４２から前記取付部８２を突出させて回転自在に支持する筒体４０と、前記筒体４０の他端の開口４４から挿入して、一端に前記ボールヘッド３０の球面に沿った凹部５６を備えたボール押さえ部材５０と、前記筒体４０の他端の開口４４から挿入して前記ボール押さえ部材５０の他端と接して前記ボールヘッド３０を前記筒体４０の一端の開口４２側に向けて付勢する弾性体６０と、前記支持部９０と接続し、前記筒体４０の他端の開口４４から挿入して、前記弾性体６０を圧縮する弾性体押さえ部材７０と、を備えたことを特徴とする。【選択図】図２
2014155640.tif 000002
【特許請求の範囲】
【請求項１】
マネキンに着脱可能とし前記マネキンを支持する取付部と、前記取付部に接続して前記取付部を床面から所定高さで支持する支持部の間に取り付けて、前記支持部に対して前記取付部を回転自在に支持するボールジョイント機構部を備えたことを特徴とするマネキン展示用治具。
【請求項２】
前記ボールジョイント機構部は、
前記取付部と接続可能なボールヘッドと、
前記ボールヘッドを内包して一端の開口から前記取付部を突出させて回転自在に支持する筒体と、
前記筒体の他端の開口から挿入して、一端に前記ボールヘッドの球面に沿った凹部を備えたボール押さえ部材と、
前記筒体の他端の開口から挿入して前記ボール押さえ部材の他端と接して前記ボールヘッドを前記筒体の一端の開口側に向けて付勢する弾性体と、
前記支持部と接続し、前記筒体の他端の開口から挿入して、前記弾性体を圧縮する弾性体押さえ部材と、
を備えたことを特徴とする請求項１に記載のマネキン展示用治具。
【請求項３】
前記筒体は、前記一端の開口の内壁にテーパ状のボール受けを形成し、前記ボール受けは、前記ボールヘッドとの接触箇所に前記ボールヘッドの球面に沿ったアール部を備えたことを特徴とする請求項２に記載のマネキン展示用治具。
【請求項４】
前記弾性体押さえ部材は、前記弾性体の圧縮力を任意に調整可能な調整部を備えたことを特徴とする請求項２又は３に記載のマネキン展示用治具。
【請求項５】
前記ボールヘッドは、前記取付部の端部と着脱可能な着脱部を備えたことを特徴とする請求項２ないし４のいずれか一項に記載のマネキン展示用治具。
【請求項６】
前記筒体には、前記一方の開口側に前記取付部の断面形状に沿った切り欠き部が形成されていることを特徴とする請求項２ないし５のいずれか一項に記載のマネキン展示用治具。
【請求項７】
請求項１ないし６のいずれか一項に記載のマネキン展示用治具と、
マネキンを支持する取付部と、
前記マネキン展示用治具と接続する支持部とを備え、
前記支持部は、
台座と、
前記台座から立設して前記マネキン展示用治具を所定高さで支持する支柱と、
からなることを特徴とするマネキン展示用スタンド。
【発明の詳細な説明】
【技術分野】
【０００１】
本発明は、マネキン人形を展示するためのマネキン展示用治具、マネキン展示用スタンドに関する。
【背景技術】
【０００２】
マネキンを展示するためのマネキン支持装置がある。特許文献１〜４には従来のマネキン支持装置が開示されている。
特許文献１のマネキン支持装置は、マネキンを取付ける揺動取付部材と、揺動取付部材を複数の所定の揺動角度で係止状態とする角度保持機構と、床面に立設される支持部材を備えている。これにより、マネキンの下半身に容易に被服を着せ替えることができる。
【０００３】
特許文献２のマネキン支持装置は、マネキンを取着する揺動取付部材と、揺動取付部材を上下揺動可能なラチェット機構と、床面に立設される支持部材を備えている。これにより、マネキンと支柱との隙間を広くすることができ、マネキンの下半身に被服を容易に着せ替えることができる。
【０００４】
特許文献３のマネキン支持装置は、マネキンを取り付けることができる支持部と平面上で自立することができるスタンド部を備え、前記支持部は、上側支持部が下側支持部に対して角度調整することができる角度調整具を備えている。これにより、マネキンの姿勢を調整し、かつ衣服の着せ替えを簡単に行うことができる。
【０００５】
特許文献４のマネキン支持スタンドは、マネキンのボディに取り付ける取付け具に、ボディを前後方向へスライド移動可能な摺動部を設けている。これにより、ボディと取付け具を連結したまま前後方向へ水平にスライド移動させて、ボディと支持スタンドの間に空間を確保して衣服を着脱させることができる。
【先行技術文献】
【特許文献】
【０００６】
【特許文献１】特開２０１１−１４７６４１号公報
【特許文献２】特開２０１１−４９３９号公報
【特許文献３】特開２００８−１８８２１７号公報
【特許文献４】特開２００７−１４５４５号公報
【発明の概要】
【発明が解決しようとする課題】
【０００７】
従来のマネキン支持装置は、いずれも軸回り、すなわちマネキンを支持する取付部と支持部のなす角度を同一平面上で調整したり、取付部の同一軸線上でマネキンをスライド移動させたりすることしかできなかった。マネキン支持装置に対するマネキンの可動範囲が極めて限定されているため、例えばスポーツウェアを着用したマネキンが直立した姿勢では、躍動感が伝わらず、斬新なデザインの被服であっても見る者に強い印象を残すことができなかった。また背面のスペースが極めて狭い箇所など狭隘な設置場所の場合、被服の着せ替えを行うことが容易ではなかった。
【０００８】
本発明は、上記従来技術の問題点に鑑み、マネキンの姿勢にバリエーションを持たせて展示することができるマネキン展示用治具、マネキン展示用スタンドを提供することを目的としている。また本発明はマネキンの被服の着せ替えを容易に行なうことができるマネキン展示用治具、マネキン展示用スタンドを提供することを目的としている。
【課題を解決するための手段】
【０００９】
本発明は、上記の課題を解決するための第１の手段として、マネキンに着脱可能とし前記マネキンを支持する取付部と、前記取付部に接続して前記取付部を床面から所定高さで支持する支持部の間に取り付けて、前記支持部に対して前記取付部を回転自在に支持するボールジョイント機構部を備えたことを特徴とするマネキン展示用治具を提供するものである。
【００１０】
本発明は、上記の課題を解決するための第２の手段として、第１の解決手段において、前記ボールジョイント機構部は、前記取付部と接続可能なボールヘッドと、前記ボールヘッドを内包して一端の開口から前記取付部を突出させて回転自在に支持する筒体と、前記筒体の他端の開口から挿入して、一端に前記ボールヘッドの球面に沿った凹部を備えたボール押さえ部材と、前記筒体の他端の開口から挿入して前記ボール押さえ部材の他端と接して前記ボールヘッドを前記筒体の一端の開口側に向けて付勢する弾性体と、前記支持部と接続し、前記筒体の他端の開口から挿入して、前記弾性体を圧縮する弾性体押さえ部材とを備えたことを特徴とするマネキン展示用治具を提供するものである。
【００１１】
本発明は、上記の課題を解決するための第３の手段として、第２の解決手段において、前記筒体は、前記一端の開口の内壁にテーパ状のボール受けを形成し、前記ボール受けは、前記ボールヘッドの球面に沿ったアール部を備えたことを特徴とするマネキン展示用治具を提供するものである。
【００１２】
本発明は、上記の課題を解決するための第４の手段として、第２又は第３の解決手段において、前記弾性体押さえ部材は、前記弾性体の圧縮力を任意に調整可能な調整部を備えたことを特徴とするマネキン展示用治具を提供するものである。
【００１３】
本発明は、上記の課題を解決するための第５の手段として、第２ないし第４のいずれかの解決手段において、前記ボールヘッドは、前記取付部の端部と着脱可能な着脱部を備えたことを特徴とするマネキン展示用治具を提供するものである。
【００１４】
本発明は、上記の課題を解決するための第６の手段として、第２ないし第５のいずれかの解決手段において、前記筒体には、前記一方の開口側に前記取付部の断面形状に沿った切り欠き部が形成されていることを特徴とするマネキン展示用治具を提供するものである。
【００１５】
本発明は、上記の課題を解決するための第７の手段として、第１ないし６のいずれかの解決手段に記載のマネキン展示用治具と、台座と、前記台座から垂直方向に延出して前記マネキン展示用治具を所定高さで支持する支柱とを備えたことを特徴とするマネキン展示用スタンドを提供するものである。
【発明の効果】
【００１６】
本発明によれば、上記のように、支持部に対して取付部を回転自在に支持するボールジョイント機構部を備えているので、マネキンと接続する取付部を自由回転、すなわち支持部を中心として取付部を３６０度回転させることができる。従って、マネキンの直立姿勢だけでなく、マネキンの表現に合わせてマネキンを傾斜させた状態で容易に固定して展示することができ、マネキンが着用した被服に合わせて着用場面などの多様なイメージを創出することができる。また狭隘な展示箇所であってもマネキンと支持具の間に隙間を設けてマネキンの被服の着せ替えを容易に行なうことができる。
【００１７】
本発明によれば、上記のように、アール部によって筒体とボールヘッドの接触面積を大きくすることができ、筒体の内部でボールヘッドを円滑に回転させることができる。
【００１８】
本発明によれば、上記のように、弾性体に対する圧縮力を容易に調整することができ、筒体の内部で回転するボールヘッドを任意位置で固定することができる。また簡易な構成で展示用治具を分解することができメンテナンス等を容易に行なうことができる。
【００１９】
本発明によれば、上記のように、ボールヘッドと取付部を簡易な構成で容易に着脱させることができる。また、マネキンごとに複数の形態を取り得る取付具を容易に付け替えることができる。
【００２０】
本発明によれば、上記のように、筒体の切り欠き部に取付部を嵌め合わせることにより、マネキンの傾斜角度を最大にして強固に固定することができる。また、マネキンの着せ替えを容易に行なうことができる。
【００２１】
本発明によれば、上記のように、マネキンの直立姿勢だけでなく、マネキンの表現に合わせてマネキンを傾斜させた状態で容易に固定して展示することができ、マネキンが着用した被服に合わせて着用場面などの多様なイメージを創出することができる。また狭隘な展示箇所であってもマネキンと支持具の間に隙間を設けてマネキンの被服の着せ替えを容易に行なうことができるマネキン展示用スタンドを提供することができる。
【図面の簡単な説明】
【００２２】
【図１】第１実施形態のマネキン展示用治具の斜視図である。
【図２】第１実施形態のマネキン展示用治具の断面図である。
【図３】第１実施形態のマネキン展示用治具の分解断面図である。
【図４】本発明のマネキン展示用スタンドの説明図である。
【図５】本発明のマネキン展示用スタンドの動作説明図である。
【図６】本発明のマネキン展示用スタンドによる展示の説明図１である。
【図７】本発明のマネキン展示用スタンドによる展示の説明図２である。
【図８】本発明のマネキン展示用スタンドによる展示の説明図３である。
【図９】第２実施形態のマネキン展示用治具の断面図である。
【図１０】第２実施形態のマネキン展示用治具の分解断面図である。
【図１１】変形例のマネキン展示用治具の斜視図である。
【発明を実施するための形態】
【００２３】
本発明のマネキン展示用治具、マネキン展示用スタンドの実施形態を添付の図面を参照しながら、以下詳細に説明する。
図１は、第１実施形態のマネキン展示用治具の斜視図である。図２は、第１実施形態のマネキン展示用治具の断面図である。図３は、第１実施形態のマネキン展示用治具の分解断面図である。図示のように、本発明のマネキン展示用治具１０は、マネキンに着脱可能としマネキンを支持する取付部８２と、取付部８２に接続して取付部８２を所定高さで支持する支持部９０の間に取り付けて、支持部９０に対して取付部８２を回転自在に支持するボールジョイント機構部２０を備えている。
【００２４】
ボールジョイント機構部２０は、取付部８２と接続可能なボールヘッド３０と、ボールヘッド３０を内包して一端の開口４２から取付部８２を突出させて回転自在に支持する筒体４０と、筒体４０の他端の開口４４から挿入して、一端に前記ボールヘッド３０の球面に沿ったアール面を備えたボール押さえ部材５０と、筒体４０の他端の開口４４から挿入してボール押さえ部材５０の他端と接してボールヘッド３０を筒体４０の一端の開口４２側に向けて付勢する弾性体６０と、支持部９０と接続し、筒体４０の他端の開口４４から挿入して、弾性体６０を圧縮する弾性体押さえ部材７０と、を備えている。
【００２５】
ボールヘッド３０は所定の剛性を備えた球体である。ボールヘッド３０は取付部８２の端部と接続している。本実施形態のボールヘッド３０は一例として、取付部８２の端部を球面上に溶接して接続させている。またボールヘッド３０は後述する筒体４０の内部に挿入可能な直径に設定されている。
【００２６】
筒体４０は、ボールヘッド３０を内包する円筒である。筒体４０は、一端の開口４２の内壁にテーパ状のボール受け４６を形成している。このボール受け４６は、筒体４０の内径よりも小径とし、ボールヘッド３０との接触箇所にボールヘッド３０の球面に沿ったアール部４８が形成されている。アール部４８により、筒体４０のボール受け４６とボールヘッド３０の接触面積を大きくすることができる。また滑り面が形成されて、筒体４０の内部でボールヘッド３０を円滑に回転させることができる。筒体４０の他端の開口４４側の内壁には後述する弾性体押さえ部材７０の雄ねじ７２と螺合する雌ねじ４９のねじ切り加工が施されている。
【００２７】
ボール押さえ部材５０は、大径部５２と小径部５４の２種類の直径を備えた円柱状の部材である。大径部５２は筒体４０の内部に挿入可能な直径に設定されている。小径部５４は後述する弾性体６０の孔６２に挿入可能な直径に設定されている。また、ボール押さえ部材５０の大径部５２の一方の主面にはボールヘッド３０の球面に沿った凹部５６を備えている。凹部５６により、ボール押さえ部材５０とボールヘッド３０の接触面積を大きくすることができる。また滑り面が形成されて、筒体４０の内部でボールヘッド３０を円滑に回転させることができる。
【００２８】
弾性体６０は、ボールヘッド３０を所定の圧縮力で付勢する部材である。本実施形態の弾性体６０は、一例としてバネを用いている。弾性体６０は筒体４０の内部に挿入可能な直径に設定されている。
【００２９】
弾性体押さえ部材７０は、弾性体６０に所定の圧縮力を作用させる円柱状の部材である。弾性体押さえ部材７０の大径部７０ａは、筒体４０の内部に挿入可能な直径に設定されている。また弾性体押さえ部材７０は調整部を備えている。調整部は、筒体４０の雌ねじ４９と、この雌ねじ４９と螺合する雄ねじ７２からなる。雄ねじ７２は、弾性体押さえ部材７０の側面に形成されている。このような構成の弾性体押さえ部材７０は、筒体４０の他端の開口４４側に形成された雌ねじ４９に雄ねじ７２を螺合させることによって、他端の開口４４を塞ぐと共に、弾性体６０に所定の圧縮力を作用させることができる。また、雄ねじ７２と雌ねじ４９の螺合による簡易な構成でマネキン展示用治具１０を分解することができる。従って、マネキン展示用治具１０のメンテナンスを容易に行なうことができる。また弾性体押さえ部材７０の小径部７０ｂは後述する支持部９０の支柱９４に挿入可能な直径に設定されている。本実施形態の弾性体押さえ部材７０は、小径部７０ｂを支柱９４に挿入した後、溶接により支柱９４と接続させている。
【００３０】
このような構成のボールジョイント機構部２０は、筒体４０の他端の開口４４からボールヘッド３０を挿入して、ボールヘッド３０に接続している取付部８２を筒体４０の一端の開口４２から突出させる。次にボール押さえ部材５０、弾性体６０の順番で筒体４０の他端の開口４４から挿入する。最後に弾性体押さえ部材７０の雄ねじ７２を筒体４０の他端の開口４４の雌ねじ４９に螺合させて、弾性体６０に所定の圧縮力を作用させる。これにより、筒体４０の内部のボールヘッド３０を支点として自由回転している取付部８２を所定の位置で固定することができる。
【００３１】
図４は本発明のマネキン展示用スタンドの説明図である。なお図４はマネキンを一部断面図で示している。マネキン展示用スタンド８０は、前述のマネキン展示用治具１０と、マネキン１００を支持する取付部８２と、マネキン展示用治具１０と接続する支持部９０を備えている。
【００３２】
取付部８２は、マネキン１００に着脱可能としマネキン１００を支持している。取付部８２は屈曲部８４と、取付板８６と、突起８８を備えている。
屈曲部８４は、立設した支持部９０の軸線から所定の傾斜角度で折れ曲がり先端を湾曲させている。このような屈曲部８４は、マネキン１００の背面に形成された第１凹部１０２中に背面に沿った形に折れ曲がっているため、被服の着せ替えを容易に行なうことができる。
【００３３】
取付板８６は、屈曲部８４の先端側に形成されている。取付板８６はマネキン１００の背面に形成された第２凹部１０４に嵌め合い可能な平板状に形成されている。
【００３４】
突起８８は、取付板８６の中心から突出し、マネキン１００の第２凹部１０４の穴１０６に挿入することができる。突起８８は、後述する支持部９０に取り付けたマネキン１００が鉛直姿勢のときに先端が上向きになるように形成されている。
【００３５】
このような構成の取付部８２は、突起８８をマネキン１００の背面の穴１０６に挿入し、取付板８６を第２凹部１０４に嵌め合わせて固定することができる。また屈曲部８４はマネキン１００の第１凹部１０２内をマネキンの背面に沿った形に折れ曲がっているため、被服の着替え時の障害とならず容易に行うことができる。
【００３６】
支持部９０は、台座９２と、台座９２から立設してマネキン展示用治具１０を所定高さで支持する支柱９４とを備えている。
台座９２は、床面上に載置する平板である。台座９２は、取付部８２に取り付けたマネキン１００を支持可能な所定の面積に設定されている。
【００３７】
支柱９４は、上側支柱９６と、下側支柱９８と、締め具９９とを備えている。支柱９４は台座９２上に立設させている。
上側支柱９６は、所定長さの棒部材であり、先端に弾性体押さえ部材７０を接続させている。本実施形態の上側支柱９６は、弾性体押さえ部材７０と溶接して接続させている。また上側支柱９６の上端側には貫通孔９７を設けている。貫通孔９７は上側支柱９６を断面方向に貫通させた孔である。このような貫通孔９７は、孔径よりも細いシャフトを挿入して一方の手で押さえ、他方の手で筒体４０を回転させて締め付けることができる。これにより弾性体押さえ部材７０による弾性体６０の圧縮力を高めて、マネキン１００を任意の傾斜姿勢で容易に固定することができる。
【００３８】
下側支柱９８は、所定長さの筒部材であり、上側支柱９６よりも直径を大きくしている。このような下側支柱９８は、内部に上側支柱９６を挿入可能とし、下側支柱９８から上側支柱９６を突出させることにより、支柱９４の長さを調整することができる。
【００３９】
締め具９９は、上側支柱９６を所定の高さに固定する部材である。本実施形態の締め具９９は、一例として下側支柱９８に形成された孔９９ａと、孔９９ａに挿入可能なボルト９９ｂから構成されている。孔９９ａは下側支柱９８の軸心と交差する方向に開口され、孔内に雌ねじのねじ切り加工が施されている。このような構成の締め具９９は、孔９９ａからボルト９９ｂを挿入して、ボルト先端を上側支柱９６の側面に当接させて、下側支柱９８から突出する上側支柱９６を任意の位置で締め付けて固定することができる。
【００４０】
上記構成による本発明のマネキン展示用治具、マネキン展示用スタンドの作用について以下説明する。図５は本発明のマネキン展示用スタンドの動作説明図である。点線のマネキン１００は、台座から立設した支柱９４とボールジョイント機構部２０を介して接続する取付部８２に支持されて鉛直姿勢となる。
【００４１】
実線のマネキン１００は、被服の着替えのため、マネキン１００の傾斜姿勢を示している。傾斜姿勢は、貫通孔９７にシャフトを挿入して上側支柱９６を押さえながらマネキン展示用治具１０の筒体４０を回転させて、弾性体押さえ部材７０による弾性体６０の圧縮力を弱める。次にマネキン１００を手で支えながら傾斜させたい方向へ倒す。マネキン１００を支持する取付部８２は、ボールジョイント機構部２０によってボールヘッド３０を支点として自由回転可能に形成しているため、容易に傾斜させることができる。展示箇所に応じて支柱９４を中心としてマネキンを３６０度の方向へ傾斜させることができる。目的とする傾斜姿勢となった場合、貫通孔９７にシャフトを挿入した状態で押さえ、筒体４０を逆回転させて弾性体押さえ部材７０による弾性体６０の圧縮力を強めて傾斜姿勢を固定することができる。
【００４２】
図６は本発明のマネキン展示用スタンドによる展示の説明図１である。図７は本発明のマネキン展示用スタンドによる展示の説明図２である。図８は本発明のマネキン展示用スタンドによる展示の説明図３である。図６はサッカーをしているマネキン１００ａを展示した例のマネキン展示用スタンド８０であり、図７は直立姿勢のマネキン１００ｂを展示した例のマネキン展示用スタンド８０であり、図８はランニングをしているマネキン１００ｃを展示した例のマネキン展示用スタンド８０である。このような構成のマネキン展示用スタンドによれば、支持部に対して取付部を回転自在に支持するボールジョイント機構部を備えているので、マネキンと接続する取付部を自由回転させることができる。従って、従来同一平面上で角度を変えたり、同一軸線上をスライド移動させることしかできなかったマネキン支持装置と比べて、マネキンの傾斜姿勢の自由度が上がり、マネキンの直立姿勢だけでなく、マネキンを傾斜させた状態で容易に固定して展示することができ、マネキンが着用した被服に合わせて着用場面などの多様なイメージを創出することができる。またマネキンとマネキン支持部の間に隙間を設けてマネキンの被服の着せ替えを容易に行なうことができる。
【００４３】
次に第２実施形態のマネキン展示用治具について以下説明する。図９は第２実施形態のマネキン展示用治具の断面図である。図１０は第２実施形態のマネキン展示用治具の分解断面図である。
【００４４】
第２実施形態のマネキン展示用治具１０Ａは、ボールジョイント機構部２０Ａのボールヘッド３０Ａの形状が第１実施形態のボールヘッド３０と異なっている。その他の構成は第１実施形態と同様の構成であり、詳細な説明を省略する。図９、図１０に示すように第２実施形態のボールヘッド３０Ａは、取付部８２Ａを着脱可能な着脱部３２を備えている。本実施形態の着脱部３２は、球の表面から球心に向けて形成された雌ねじ穴３４である。雌ねじ穴３４には雌ねじのねじ切り加工が施されている。また取付部８２Ａの端部には、雌ねじ穴３４に螺合する雄ねじ８３が形成されている。着脱部３２の構造は、取付部とボールヘッドを着脱できる構造であればよく、この他にも係止突起と係止溝による着脱機構などを適用することができる。
【００４５】
上記構成による第２実施形態のマネキン展示用治具１０Ａは、ボールヘッド３０Ａに形成された雌ねじ穴３４に取付部８２Ａの雄ねじ８３を螺合させている。マネキンの傾斜姿勢は、貫通孔９７にシャフトを挿入して上側支柱９６を押さえながらマネキン展示用治具１０の筒体４０を回転させて、弾性体押さえ部材７０による弾性体６０の圧縮力を弱める。次にマネキン１００を手で支えながら傾斜させたい方向へ倒す。マネキン１００を支持する取付部８２Ａは、ボールジョイント機構部２０によってボールヘッド３０Ａを支点として自由回転可能に形成しているため、容易に傾斜させることができる。また、ボールヘッド３０Ａには取付部８２Ａを着脱可能な着脱部３２を形成しているので、ボールヘッド３０Ａから取付部８２Ａを容易に取り外すことができる。
【００４６】
このような構成の変形例のマネキン展示用治具によれば、第１実施形態と同様に、マネキンの直立姿勢だけでなく、マネキンを傾斜させた状態で容易に固定して展示することができ、マネキンが着用した被服に合わせて着用場面などの多様なイメージを創出することができる。またマネキンとマネキン支持部の間に隙間を設けてマネキンの被服の着せ替えを容易に行なうことができる。その上さらに、マネキンごとに複数の形態を取り得る取付具を容易に付け替えることができる。
【００４７】
次に変形例のマネキン展示用治具１０Ｂについて以下説明する。図１１は変形例のマネキン展示用治具の斜視図である。
変形例のマネキン展示用治具１０Ｂは、筒体４０Ｂの形状が第１および第２実施形態の筒体４０と異なっている。その他の構成は第１および第２実施形態と同様の構成であり、詳細な説明を省略する。変形例の筒体４０Ｂは、切り欠き部４５を備えている。切り欠き部４５は一端の開口４２側であって、取付部８２の断面形状に形成された溝である。このような変形例のマネキン展示用治具１０Ｂは、図示のように通常自由回転する取付部８２が切り欠き部４５に嵌め合わさることで、マネキンの傾斜角度を最大にした状態で固定することができる。また、マネキンの着せ替えを容易に行なうことができる。なお変形例のマネキン展示用治具１０Ｂをマネキン展示用スタンド８０に適用する構成としてもよい。
【符号の説明】
【００４８】
１０，１０Ａ………マネキン展示用治具、２０，２０Ａ………ボールジョイント機構部、３０，３０Ａ………ボールヘッド、３２………着脱部、３４………雌ねじ穴、４０………筒体、４２………一端の開口、４４………他端の開口、４５………切り欠き部、４６………ボール受け、４８………アール部、４９………雌ねじ、５０………ボール押さえ部材、５２………大径部、５４………小径部、５６………凹部、６０………弾性体、６２………孔、７０………弾性体押さえ部材、７２………雄ねじ、８０………マネキン展示用スタンド、８２，８２Ａ………取付部、８３………雄ねじ、８４………屈曲部、８６………取付板、８８………突起、９０………支持部、９２………台座、９４………支柱、９６………上側支柱、９７………貫通孔、９８………下側支柱、９９………締め具、９９ａ………孔、９９ｂ………ボルト、１００………マネキン、１０２………第１凹部、１０４………第２凹部、１０６………穴。
【図１】
2014155640.tif 000003
【図４】
2014155640.tif 000004
【図５】
2014155640.tif 000005
【図６】
2014155640.tif 000006
【図７】
2014155640.tif 000007
【図８】
2014155640.tif 000008
【図２】
2014155640.tif 000009
【図３】
2014155640.tif 000010
【図９】
2014155640.tif 000011
【図１０】
2014155640.tif 000012
【図１１】
2014155640.tif 000013